(57)【要約】【課題】寿命を有するモータ装置の交換時期などが、モータ装置単体で確実に判るようにする。【解決手段】駆動信号の印加で回転する回転子２２と、電源の供給で駆動信号を生成させる駆動部１６，Ｑ１，Ｑ２，Ｑ３，Ｑ４とを備えたモータ装置に適用される。構成として、回転子の状態に関する情報を記憶する不揮発性メモリ３７と、電源の供給が停止した場合に少なくとも不揮発性メモリ３７の書き込みに必要な時間だけ電源の供給を保持させる保持部３２とを備える。そして、電源が電源オンから電源オフに変化したことを検出した場合に、不揮発性メモリ３７が記憶する回転子の状態に関する情報を更新させるようにした。【選択図】図１
2009142110.tif 000002
【特許請求の範囲】
【請求項１】
駆動信号の印加で回転する回転子と、
電源の供給で前記駆動信号を生成させる駆動部と、
前記回転子の状態に関する情報を記憶する不揮発性メモリと、
前記電源の供給が停止した場合に、少なくとも前記不揮発性メモリの書き込みに必要な時間だけ電源の供給を保持させる保持部と、
前記電源が電源オンから電源オフに変化したことを検出する電源検出部と、
前記電源検出部で電源オフへの変化を検出した場合に、前記不揮発性メモリが記憶する前記回転子の状態に関する情報を更新させる書き込み制御部とを備えたことを特徴とする
モータ装置。
【請求項２】
請求項１記載のモータ装置において、
前記回転子の状態に関する情報は、回転子の回転数であることを特徴とする
モータ装置。
【請求項３】
請求項２記載のモータ装置において、
前記回転子の回転数に応じたパルスを出力するパルス生成部を備え、
前記書き込み制御部は、前記パルス生成部が出力するパルスをカウントし、そのカウントした値を前記不揮発性メモリに記憶させることを特徴とする
モータ装置。
【請求項４】
請求項１記載のモータ装置において、
前記回転子の回転により回転するファンを備えたことを特徴とする
モータ装置。
【発明の詳細な説明】
【技術分野】
【０００１】
本発明は、例えば電子機器が内蔵するファン用のモータに適用して好適なモータ装置に関する。
【背景技術】
【０００２】
従来、電子機器が内蔵するファンを回転駆動させるモータ装置（ファンモータ装置）は、例えば図９に示す構成とされる。
図９において、１１は電源入力端子であり、１２は接地端子である。電源入力端子１１には、所定の電源電圧が得られ、その電源電圧をトランジスタＱ１，Ｑ２のエミッタに供給する。このトランジスタＱ１，Ｑ２のコレクタは、別のトランジスタＱ３，Ｑ４のコレクタに接続させてあり、それぞれのトランジスタＱ３，Ｑ４のエミッタを接地させてある。
それぞれのトランジスタＱ１〜Ｑ４のベースは、駆動制御部１６と接続させてあり、駆動制御部１６から出力される信号により各トランジスタトランジスタＱ１〜Ｑ４のオン・オフが個別に制御される。
トランジスタＱ１，Ｑ３のコレクタどうしの接続点と、トランジスタＱ２，Ｑ４のコレクタどうしの接続点との間には、モータコイル２１が接続してあり、そのモータコイル２１に電流が流れることで、モータコイル２１と近接したロータマグネット２２が回転する。各トランジスタＱ１〜Ｑ４のオン・オフは駆動制御部１６で制御し、近接したロータマグネット２２の磁極の向きに応じて、モータコイル２１に流れる電流の向きを切り換えて、ロータマグネット２２を連続して回転させる。ロータマグネット２２は、所定角度ごとにＮ極とＳ極に交互に形成させてある。
図９の例では、ロータマグネット２２の回転軸に、ファン２３が取付けてあり、ファン２３が回転する。
【０００３】
ロータマグネット２２の回転は、ホール素子１４で検出する構成としてある。ホール素子１４には、電源入力端子１１から電源が供給され、ロータマグネット２２の回転に同期した周波数のパルス波形を出力する。ホール素子１４の出力波形は、ホールアンプ１５で増幅した後、駆動制御部１６に供給する。ホールアンプ１５についても、電源入力端子１１から供給される電源で増幅動作を行う。
【０００４】
駆動制御部１６では、ホール素子１４から供給されるパルスの位相をモニタしながら、モータコイル２１に供給する駆動信号の切り換え制御を行い、ロータマグネット２２を規定された速度で回転させる。また、ホールアンプ１５で増幅されたホール素子１４の出力パルスは、波形整形回路１７で波形整形した後、ＦＧパルス出力端子１３から外部に出力させる。このＦＧパルス出力端子１３から出力されるパルスを、モータ装置が取付けられた機器側でカウントするなどの監視を行うことで、モータ装置の使用状態を装置側で監視することができる。また、ＦＧパルス出力端子１３から出力されるパルスを監視することで、モータ装置が回転していることを、装置側が検出できる。
【０００５】
このように構成したモータ装置によると、外部から電源が供給される限り、ロータマグネット２２が回転して、ファン２３が回転する。このようなファンが取付けられたモータ装置は、例えばコンピュータ装置の内部を冷却するために使用される。なお、この図９に示したファンモータ装置は、例えばファンまで含めて一体の筐体に収納されて構成される。
【０００６】
特許文献１及び２には、この種のモータ装置の運転時間を積算して、管理を行う手法についての記載がある。
【特許文献１】特開昭６２−１５５７４４号公報
【特許文献２】特開平３−４４５１５号公報
【発明の開示】
【発明が解決しようとする課題】
【０００７】
ところで、このようなファン用のモータ装置などは、装着された電子機器が稼働中は基本的に常時回転しており、非常に長時間使用されるものである。長時間使用されると、機械摩耗により軸受け部の摩耗が増加し、動作電流の増加や回転数の低下などが起こり、好ましくない。
このため、使用時間の長い機器では、定期的にファンモータ装置を交換するなどの保守点検が行われている。例えば１年などの決められた期間ごとにファンモータ装置全体を交換するようにしている。交換した際には、その交換した記録を残すようにして、次の交換時期になったことを忘れないようにしてある。しかしながら、機器の台数が多い場合や、保守点検記録が適切に管理されていない場合には、交換時期の判断が難しくなるという問題があった。
【０００８】
この問題点を解決するためには、例えば特許文献１や特許文献２に記載のように、モータ装置が取付けられた装置側で、モータ装置の運転時間や起動回数を計測して、その計測した時間や回数を記憶して、モータ装置の交換などが必要かどうか判断させることが提案されている。
ところが、特許文献１や特許文献２に記載のように、単純に装置側で運転時間を計測させて表示させるだけでは、ファンが取付けられたモータ装置単体では、運転時間などが判らない問題がある。具体的には、例えば、多数のファンモータ装置を同時に装置から取り外して、新しいファンモータ装置を装着させる作業時を行う際に、どのファンモータ装置が新規なもので、どのファンモータ装置が寿命になったものか、見分けがつかない場合が多々ある。このようなことがあると、寿命と判断して一度外したファンモータ装置が、再度装着されて使用されてしまう可能性を排除できない。
【０００９】
本発明はこれらの点に鑑みてなされたものであり、寿命を有するモータ装置の交換時期などが、モータ装置単体で確実に判るようにすることを目的とする。
【課題を解決するための手段】
【００１０】
本発明は、駆動信号の印加で回転する回転子と、電源の供給で駆動信号を生成させる駆動部とを備えたモータ装置に適用される。構成として、回転子の状態に関する情報を記憶する不揮発性メモリと、電源の供給が停止した場合に、少なくとも不揮発性メモリの書き込みに必要な時間だけ電源の供給を保持させる保持部とを備える。そして、電源が電源オンから電源オフに変化したことを検出した場合に、不揮発性メモリが記憶する回転子の状態に関する情報を更新させるようにしたものである。
【００１１】
このように構成したことで、モータ装置に電源が供給されて回転子が回転することで、そのときの状態に関する情報を不揮発性メモリに書き込むことができる。この場合、モータ装置への電源の供給が停止して、回転子の回転が停止する際にも、少なくとも、その電源の供給停止を検出してから不揮発性メモリの記憶情報を更新させるのに必要な時間だけは電源電圧が保持され、停止させるまでの情報を書き込むことができる。従って、モータ装置が内蔵する不揮発性メモリが、このモータ装置の回転に関する情報を正確に保持するようになる。
【発明の効果】
【００１２】
本発明によると、モータ装置が備える不揮発性メモリに、回転子の回転に関する情報が書き込まれ、その不揮発性メモリの記憶情報を使用することで、このモータ装置の使用時間や寿命などを正確に判断できるようになる。また本発明の場合には、モータ装置そのものが不揮発性メモリを内蔵しているため、モータ装置単体で寿命などの判断ができ、モータ装置が取付けられる装置から外した状態で、どの程度使用したモータ装置か判らなくなることがない。
【発明を実施するための最良の形態】
【００１３】
以下、本発明の第１の実施の形態を、図１〜図５を参照して説明する。この図１〜図５において、従来例として説明した図９と同一部分には同一符号を付す。
【００１４】
図１は、本実施の形態のモータ装置の全体構成例を示した図である。
図１の構成について説明すると、本実施の形態のモータ装置は、所定の筐体に一体に収納されて構成され、内蔵されたファンによる送風を行う装置（電子機器）に内蔵される。
電源入力端子１１には、モータ装置を内蔵する電子機器側から所定の電源電圧が得られ、接地端子１２は、その電子機器側の接地電位部と接続してある。
【００１５】
電源入力端子１１に得られる電源電圧は、トランジスタＱ１，Ｑ２のエミッタに供給する。トランジスタＱ１，Ｑ２のコレクタは、別のトランジスタＱ３，Ｑ４のコレクタに接続させてあり、それぞれのトランジスタＱ３，Ｑ４のエミッタを接地させてある。
それぞれのトランジスタＱ１〜Ｑ４のベースは、駆動制御部１６と接続させてあり、駆動制御部１６から出力される信号により各トランジスタトランジスタＱ１〜Ｑ４のオン・オフが個別に制御される。
トランジスタＱ１，Ｑ３のコレクタどうしの接続点と、トランジスタＱ２，Ｑ４のコレクタどうしの接続点との間には、モータコイル２１が接続してあり、そのモータコイル２１に電流が流れることで、モータコイル２１と近接したロータマグネット２２が回転する。各トランジスタＱ１〜Ｑ４のオン・オフは、駆動制御部１６で制御し、近接したロータマグネット２２の磁極の向きに応じて、モータコイル２１に流れる電流の向きを切り換えて、ロータマグネット２２を連続して回転させる。ロータマグネット２２は、所定角度ごとにＮ極とＳ極に交互に形成させてある。
図１の例では、モータの回転子であるロータマグネット２２の回転軸に、ファン２３が取付けてあり、ロータマグネット２２の回転によりファン２３が回転する。
【００１６】
ロータマグネット２２の回転は、ホール素子１４で検出する。ホール素子１４には、電源入力端子１１から電源が供給され、ロータマグネット２２の回転に同期した周波数のパルス波形を出力する。ホール素子１４の出力波形は、ホールアンプ１５で増幅した後、駆動制御部１６に供給する。ホールアンプ１５は、電源入力端子１１から供給される電源で増幅動作を行う。
【００１７】
駆動制御部１６では、ホール素子１４から供給されるパルスの位相をモニタしながら、モータコイル２１に供給する駆動信号の切り換え制御を行い、ロータマグネット２２を規定された速度で回転させる。また、ホールアンプ１５で増幅されたホール素子１４の出力パルスは、波形整形回路１７で波形整形した後、ＦＧパルス出力端子１３から外部に出力させる。ここまでは、図９に示した従来構成のモータ装置と同じである。
なお、この図１に示すモータ装置は、このモータ装置が内蔵された電子機器側で、電源入力端子１１への電源の供給のオン・オフ制御で、このモータ装置が備えるファンによる送風のオン・オフを制御するものであり、モータ装置自身は電源スイッチを備えない。電源入力端子１１への電源の供給は、例えばモータ装置が内蔵された電子機器が電源オン状態である限り、常時行い、電子機器が電源オフになった際に、電源入力端子１１への電源の供給をオフ状態とする。
【００１８】
そして本実施の形態のファンモータ装置においては、ファンモータ装置の回転子であるロータマグネット２２の状態に関する情報を記憶する不揮発性メモリ３７を備える。この不揮発性メモリ３７に記憶させる回転子の状態に関する情報としては、ここでは、回転子の回転数の情報と、回転子の起動回数（すなわちモータの起動回数）を記憶させる。
【００１９】
この不揮発性メモリ３７に回転数の情報を記憶させるための構成について説明すると、電源入力端子１１に得られる電源は、電源検出部３１及び電圧保持部３２に供給する。
電源検出部３１は、電源入力端子１１に得られる電源が規定された電圧で電源オンの状態を検出すると共に、その電源オンの状態から、その電圧が維持されなくなって電源オフとなった状態になったとき、そのことを検出する。
電圧保持部３２は、電源オフ時に規定された時間だけ電源電圧を保持する構成としてある。
【００２０】
図２に、電源検出部３１及び電圧保持部３２の構成例について示す。電源検出部３１は、基準電圧源３１ａを備え、その基準電圧源３１ａの出力電圧と、電源入力端子１１に得られる電源電圧とを比較器３１ｂで比較する構成としてある。そして、その比較器３１ｂの出力を、電源検出信号とする。
電圧保持部３２は、電源入力端子１１に得られる電源電圧を、ダイオードＤ１を介してコンデンサＣ１に供給する。このコンデンサＣ１の容量値として、少なくとも不揮発性メモリ３７の書き込みに必要な時間だけ、電圧を維持できる容量値とする。この不揮発性メモリ３７の書き込みに必要な時間とは、例えば１ｍ秒から１０ｍ秒程度の非常に短い時間であり、コンデンサＣ１は比較的小さい容量である。
そして、コンデンサＣ１とダイオードＤ１との接続点に得られる電圧を、電圧レギュレータ３２ａに供給し、一定電圧を維持させた電源電圧Ｖｃｃ２を生成させる。この電源電圧Ｖｃｃ２は、電源入力端子１１に得られる電源電圧よりも低い電圧値とする。例えば、電源入力端子１１に得られる電源電圧を１２Ｖとすると、電源電圧Ｖｃｃ２を５Ｖ程度の電圧値とする。
【００２１】
図１の説明に戻ると、電源検出部３１で検出した電源オフの情報は、制御部３３に供給する。制御部３３には、カウンタ３４が接続してあり、カウンタ３４のカウント値を読み出す。
カウンタ３４には、波形整形回路１７が出力するＦＧパルスが供給され、そのＦＧパルスのカウント動作を行う。カウント値は、制御部３３の制御で随時読み出されて、演算部３５に送られる。
また、不揮発性メモリ３７の記憶データは、書き込み読み出し部３６により読み出されると共に書き込まれる構成としてある。書き込み読み出し部３６で記憶データを読み出した際には、その読み出した記憶データを、演算部３５に送り、カウンタ３４から供給されるカウント値との加算を行って、その加算されたカウント値を、不揮発性メモリ３７に書きませて、不揮発性メモリ３７の記憶情報を更新させる。
【００２２】
そして、不揮発性メモリ３７に書き込まれたカウント値は、データ出力端子３８から外部（電子機器側）に送ることができる構成としてある。データ出力端子３８からのデータ出力は、例えばＲＳ２３２Ｃ形式などの、既に知られているデータ通信規格に則った手順で行われる。その通信の制御は、例えば制御部３３が行う。
なお、不揮発性メモリ３７の記憶を制御する制御部３３とその周辺回路（カウンタ３４，演算部３５，書き込み読み出し部３６など）については、電圧保持部３２で生成された電源電圧Ｖｃｃ２（図２参照）が電源として供給される。
【００２３】
図３は、不揮発性メモリ３７の記憶データ構成の例を示した図である。この例では、アドレス０，１，２，・・・，６と複数のアドレスが設定してあり、それぞれのアドレスごとに８ビットのデータが記憶できる構成としてある。この例では、アドレス０からアドレス４で、累計回転数を示すようにしてあり、アドレス５及びアドレス６で、累計起動回数を示すようにしてある。累計起動回数については、電源検出部３１で電源オンから電源オフへの変化を検出した際に、現在の不揮発性メモリ３７に記憶された累計起動回数を書き込み読み出し部３６が読み出し、演算部３５で起動回数を１つ加算して不揮発性メモリ３７に戻す更新処理を行う。
累計回転数については、カウンタ３４が所定数カウントするごとに、不揮発性メモリ３７から累計回転数を読み出して、その累計回転数にカウント値を加算して、不揮発性メモリ３７に戻す更新処理が行われる。また、電源検出部３１で電源オフへの変化を検出した際にも、不揮発性メモリ３７から累計回転数を読み出して、その累計回転数に、その時点でのカウンタ３４のカウント値を加算して、不揮発性メモリ３７に戻す更新処理が行われる。
なお、累計回転数については、例えば、カウンタ３４では実際の回転数を１回転ごとにカウントして、不揮発性メモリ３７への書き込みについては、そのカウント値の上位の所定桁の値だけを、不揮発性メモリ３７に記憶された値に加算させる演算を行って、更新させるようにしてもよい。
【００２４】
次に、図４のフローチャートを参照して、本例の不揮発性メモリ３７への書き込み動作例を説明する。
まず、電源オンになると、カウンタを０に初期化する（ステップＳ１１）。そして、電源オンの状態が継続するか、あるいは電源オフに変化したか否か判断する（ステップＳ１２）。電源オンの状態が継続している場合には、カウンタ３４に供給されるＦＧパルスがハイレベル“１”に立ち上がったか否か判断し（ステップＳ１３）、立ち上がった場合には、カウンタ３４のカウント値を１つ加算する（ステップＳ１４）。その後、ＦＧパルスがローレベル“０”に立ち下がったか否か判断し（ステップＳ１５）、立ち下がるまで待機する。ＦＧパルスが立ち下がった場合には、現在のカウンタ値がオーバーフローするか否か判断し（ステップＳ１６）、オーバーフローしない場合には、ステップＳ１２の判断に戻る。
【００２５】
ステップＳ１６でカウンタ値のオーバーフローを検出した場合には、不揮発性メモリ３７に記憶された累計回転数を読み出し（ステップＳ１７）、その累計回転数に、カウンタ３４のオーバーフロー値Ｍを加算し（ステップＳ１８）、その加算値を新しい累計回転数として不揮発性メモリ３７に記憶させる（ステップＳ１９）。そして、ステップＳ１２の判断に戻る。
【００２６】
また、ステップＳ１２で、電源オンから電源オフに変化したことを検出した場合には、不揮発性メモリ３７に記憶された累計回転数を読み出し（ステップＳ２１）、その累計回転数に、カウンタ３４の現在のカウント値を加算し（ステップＳ２２）、その加算値を新しい累計回転数として不揮発性メモリ３７に記憶させる（ステップＳ２３）。
さらに、不揮発性メモリ３７に記憶された累計起動回数を読み出し（ステップＳ２４）、その累計起動回数に値を１つ加算し（ステップＳ２５）、その加算値を新しい累計起動回数として不揮発性メモリ３７に記憶させる（ステップＳ２６）。
このステップＳ２１からステップＳ２６までの処理については、電圧保持部３２で電源電圧Ｖｃｃ２が保持されている間に実行される。従って、電圧保持部３２が備えるコンデンサＣ１（図２）の容量は、このステップＳ２１からステップＳ２６までの処理に必要な時間に基づいて設定する。
なお、ステップＳ１７〜Ｓ１９の更新処理及びステップＳ２１〜Ｓ２３の更新処理については、上述したようにカウント値の上位の所定桁の値だけを加算させるようにしてもよい。
【００２７】
図５のタイミング図は、図４のフローチャートの処理が実行される状態を示した図である。
まず、図５（ａ）に示すように、１２Ｖの電源電圧Ｖｃｃの供給が開始されると、図５（ｂ）に示すように、モータ装置内部での電源電圧Ｖｃｃ１についても１２Ｖに立ち上がり、電圧保持部３２が出力する電圧Ｖｃｃ２についても５Ｖに立ち上がる。
電圧検出部３１では、図５（ｄ）に示すように、閾値Ｖonthを越えている期間、電源検出信号を出力する。
【００２８】
そして、図５（ｆ）に示すように、モータの回転子であるロータマグネット２２の回転に連動して、ＦＧパルスが変化するようになり、そのＦＧパルスを図５（ｅ）に示すようにカウントアップし、オーバーフローとなることで、不揮発性メモリ３７からの読み出しと加算演算と書き込みが行われる。カウント開始時にはカウンタ３４のリセットが行われる。
【００２９】
さらに、図５（ａ）に示すように、電源電圧Ｖｃｃの供給が停止すると、内部の電源電圧Ｖｃｃ１の値は徐々に低下するが、図５（ｃ）に示すように、電圧保持部３２が出力する電圧Ｖｃｃ２については、電源電圧Ｖｃｃが閾値Ｖonth以下となってからも、所定期間は一定電圧を維持する。その電圧Ｖｃｃ２が一定電圧（５Ｖ）を維持している間に、不揮発性メモリ３７からの読み出しと加算演算と書き込みが行われる。このときにも、カウンタ３４のリセットが行われる。
【００３０】
なお、図５では電源オフ時の処理として、回転数の更新処理だけを示したが、図４のフローチャートのステップＳ２４〜Ｓ２６に示した累計起動回数の更新についても回転数の更新に続いて行う。このステップＳ２４〜Ｓ２６に示した累計起動回数の更新が終了するまで、図５（ｃ）に示した電圧Ｖｃｃ２を一定に保持させる必要がある。
【００３１】
このように不揮発性メモリ３７を備えて、その不揮発性メモリ３７に累計の回転数と累計の起動回数が正しく書き込まれることで、このモータ装置のデータ出力端子３８から不揮発性メモリ３７の記憶値を出力させることで、このモータ装置を内蔵した電子機器側で、装着されたモータ装置がどの程度使用されたか判断がつくようになる。電子機器が表示装置を備える場合には、読み出した累計回転数や累計起動回数を表示させるようにしてもよい。
【００３２】
この電子機器側で判断される回転数などの回転状態に関する情報は、モータ装置が内蔵するメモリの値であるため、モータ装置の交換時などに使用されたモータ装置を新規のモータ装置と間違えるようなミスを防げる。また、モータ装置への電源の供給が停止して、モータ装置の回転が停止する際には、モータ装置内で電源を一時的に保持させて、そのときのカウント値を加算して書き込むようにしたので、非常に正確な累計回転数が得られ、モータ装置のオン・オフの繰り返しによる誤差が生じることがない。さらに、累計起動回数についても、オフ時に電圧が保持される間に更新させることで、確実に累計回数の書き込みが行われる。
また、モータ装置を内蔵した電子機器側で、データ出力端子３８から出力されるデータを判断できない場合でも、モータ装置を修理などする際に、そのデータ出力端子３８から出力されるデータを専用の解析装置で解析することで、どの程度使用されたのかなどの解析が行え、寿命管理や修理時の部品交換などを適切に行うことが可能となる。
【００３３】
次に、本発明の第２の実施の形態を、図６を参照して説明する。
この図６において、第１の実施の形態で説明した図１〜図５と同一部分には同一符号を付す。
【００３４】
図６は、本実施の形態のモータ装置の全体構成例を示した図である。
この例では、モータ装置内に、電源入力端子１１からの電源が供給される温度検出素子４１を設け、その温度検出素子４１の出力をアナログ／デジタル変換器４２でデジタルデータに変換し、モータ装置内の温度データを得る。アナログ／デジタル変換器４２で得られた温度データは、制御部３３に供給し、所定期間ごとに不揮発性メモリ３７に温度データを書き込ませる。書き込ませた温度データについては、例えば不揮発性メモリ３７から読み出して、データ出力端子３８から出力させる。
その他の部分は、図１に示した第１の実施の形態のモータ装置と同様に構成する。
【００３５】
このように構成した図６例のモータ装置によると、モータの回転数や起動回数だけでなく、温度データについても記憶することができ、モータ装置の寿命などを判断する際に、使用環境の温度を加味して判断できるようになる。
【００３６】
次に、本発明の第３の実施の形態を、図７を参照して説明する。
この図７において、第１，第２の実施の形態で説明した図１〜図６と同一部分には同一符号を付す。
【００３７】
図７は、本実施の形態のモータ装置の全体構成例を示した図である。
この例では、データ出力端子３８は設けない構成とする。その代りに、波形整形回路１７とＦＧパルス出力端子１３との間に、スイッチ５１を設ける。
そして、不揮発性メモリ３７に記憶された累計回転数と、累計起動回数のいずれか一方が、予め決められた制限値（累計回転数と累計起動回数ごとに設定された制限値）を越えたことを、書き込み読み出し部３６でメモリ３７から読み出して判断した場合に、制御部３３又は書き込み読み出し部３６の制御で、スイッチ５１を開状態とする。このスイッチ５１は通常時は閉状態である。上述した制限値は、このモータ装置が寿命と判断される累計回転数又は累計起動回数に基づいて設定する。
その他の部分は、図１に示した第１の実施の形態のモータ装置と同様に構成する。
【００３８】
スイッチ５１が開状態となることで、このモータ装置を装着した電子機器側では、ＦＧパルス出力端子１３から出力されるＦＧパルスの状態を監視で、ＦＧパルスが出力されなくなったことが検出された場合に、モータ装置が異常であると判断されて、モータ装置の交換などの対処が行われる。
但し、ＦＧパルス出力端子１３からＦＧパルスが出力されない状態でも、電源入力端子１１への電源の供給で、モータそのものは回転しており、ファン２３による送風動作を継続して行われる。従って、モータ装置を装着した電子機器側への寿命の告知を効果的に行うことができる。しかも、モータ装置を装着した電子機器側は、従来のモータ装置の監視用に使用しているＦＧパルス出力端子１３からの出力だけを監視すればよく、電子機器側でデータ通信用の特別な構成が必要ない効果を有する。
【００３９】
なお、図７に示した第３の実施の形態の構成の場合には、図１などに示したデータ出力端子３８がない構成としたが、図１の例などと同様に、データ出力端子３８を設けて、累計回転数などの値を出力させるようにしてもよい。
【００４０】
次に、本発明の第４の実施の形態を、図８を参照して説明する。
この図８において、第１，第２，第３の実施の形態で説明した図１〜図７と同一部分には同一符号を付す。
【００４１】
図８は、本実施の形態のモータ装置の全体構成例を示した図である。
この例では、制御部３３又は書き込み読み出し部３６の制御で点灯する発光ダイオード６１を設けた構成とする。発光ダイオード６１は、例えばモータ装置の筐体を外側から見た場合に、点灯していることが判る位置に設置する。この例でも、データ出力端子３８は設けていない。
そして、不揮発性メモリ３７に記憶された累計回転数と、累計起動回数のいずれか一方が、予め決められた制限値（累計回転数と累計起動回数ごとに設定された制限値）を越えたことを、書き込み読み出し部３６でメモリ３７から読み出して判断した場合に、制御部３３又は書き込み読み出し部３６の制御で、発光ダイオード６１を点灯させる。この発光ダイオード６１は、一旦点灯を開始させた後は、このモータ装置に電源が供給される限り、常時点灯させる。上述した制限値は、このモータ装置が寿命と判断される累計回転数又は累計起動回数に基づいて設定する。
その他の部分は、図１に示した第１の実施の形態のモータ装置と同様に構成する。
【００４２】
このように構成したことで、このモータ装置が寿命になった場合には、このモータ装置に電源が供給される限り、発光ダイオード６１が点灯し、寿命であることが簡単に判るようになる。この例では、モータ装置を装着する電子機器側での対処が全く必要なく、どのような機器に装着される電子機器にも対処可能となる効果を有する。
【００４３】
なお、図８に示した第４の実施の形態の構成の場合にも、図１の例などと同様に、データ出力端子３８を設けて、累計回転数などの値を出力させるようにしてもよい。
【００４４】
また、ここまで説明した各実施の形態で説明した電圧値や電圧保持時間などの値は、一例を示したものであり、その他の電圧値や電圧保持時間を設定するようにしてもよい。
また、それぞれの実施の形態では、ファンを回転させるいわゆるファンモータ装置に適用した例としたが、その他の各種電子機器に装着されるモータ装置に適用してもよいことは勿論である。モータの回転子を回転させる構成についても、図１例などの構成に限定されるものではない。
【図面の簡単な説明】
【００４５】
【図１】本発明の第１の実施の形態の例によるファンモータ装置を示す構成図である。
【図２】図１例の電源検出部と電圧保持部の構成例を示す構成図である。
【図３】本発明の第１の実施の形態によるメモリ構成例を示す説明図である。
【図４】本発明の第１の実施の形態によるメモリの書き込み処理例を示すフローチャートである。
【図５】本発明の第１の実施の形態による動作例を示すタイミングチャートである。
【図６】本発明の第２の実施の形態の例によるファンモータ装置を示す構成図である。
【図７】本発明の第３の実施の形態の例によるファンモータ装置を示す構成図である。
【図８】本発明の第４の実施の形態の例によるファンモータ装置を示す構成図である。
【図９】従来のファンモータ装置の一例を示す構成図である。
【符号の説明】
【００４６】
１１…電源入力端子、１２…接地端子、１３…ＦＧパルス出力端子、１４…ホール素子、１５…ホールアンプ、１６…駆動制御部、１７…波形整形回路、２１…モータコイル、２２…ロータマグネット、２３…ファン、３１…電源検出部、３１ａ…基準電圧源、３１ｂ…比較器、３２…電圧保持部、３２ａ…電圧レギュレータ、３３…制御部、３４…カウンタ、３５…演算部、３６…書き込み読み出し部、３７…不揮発性メモリ、３８…データ出力端子、４１…温度検出部、４２…アナログ／デジタル変換器、５１…スイッチ、６１…発光ダイオード
【図１】
2009142110.tif 000003
【図２】
2009142110.tif 000004
【図３】
2009142110.tif 000005
【図４】
2009142110.tif 000006
【図５】
2009142110.tif 000007
【図６】
2009142110.tif 000008
【図７】
2009142110.tif 000009
【図８】
2009142110.tif 000010
【図９】
2009142110.tif 000011